(57)【要約】【課題】天井に設けられる室内ユニットにおいて、吸込グリルを容易に着脱できるようにする。【解決手段】吸込グリル（51）の４つの辺のそれぞれには、化粧パネル（50）に対して進退可能に形成され、化粧パネル（50）に向けてスライドした状態で化粧パネル（50）に引っ掛かるスライド部（120）を設ける。それらのスライド部（120）のうちの２つのみを、弾性部材（140）によって、化粧パネル（50）に引っ掛かる位置に位置決めする。弾性部材（140）によって位置決めされているスライド部（120）は、互いに対辺となる２辺の吸込グリル（51）にそれぞれ設ける。【選択図】図２
2017083054.tif 000002
【特許請求の範囲】
【請求項１】
天井（CE）に設けられ、下方から吸い込んだ空気を温度調節して噴き出す室内ユニット本体（20）と、
上記室内ユニット本体（20）の下部に設けられる化粧パネル（50）と、
空気導入口（33a）が形成され、上記化粧パネル（50）に着脱可能に取り付けられる吸込グリル（51）と、
を備え、
上記吸込グリル（51）は、下方から見た形状が４つの辺を有した方形状であり、
上記４つの辺の縁部（51c）のそれぞれには、上記化粧パネル（50）に対して進退可能に形成され、該化粧パネル（50）に向けてスライドした状態で上記化粧パネル（50）に引っ掛かるスライド部（120,130）が設けられ、
それらのスライド部（120,130）のうちの２つのみが、弾性部材（140）によって、上記化粧パネル（50）に引っ掛かる位置に位置決めされており、
上記弾性部材（140）によって位置決めされているスライド部（120）は、上記４つの辺において互いに対辺となる２辺の縁部（51c）にそれぞれ設けられていることを特徴とする空気調和機の室内ユニット。
【請求項２】
請求項１において、
それぞれのスライド部（120,130）は、上記縁部（51c）の中央部に設けられていることを特徴とする空気調和機の室内ユニット。
【請求項３】
請求項１又は請求項２において、
それぞれのスライド部（120,130）は、スライド操作を行うための操作部（126）が上記吸込グリル（51）の下方に向けて突出しており、
上記弾性部材（140）によって位置決めされていないスライド部（130）と、上記弾性部材（140）によって位置決めされているスライド部（120）とは、操作部（126）が突出する長さが互いに異なっていることを特徴とする空気調和機の室内ユニット。
【請求項４】
請求項１から請求項３の何れかにおいて、
上記化粧パネル（50）には、上記吸込グリル（51）の取付箇所に該吸込グリル（51）用の開口（40）が形成され、
上記縁部（51c）の外縁の大きさは、上記吸込グリル（51）用の開口（40）よりも大きいことを特徴とする空気調和機の室内ユニット。
【発明の詳細な説明】
【技術分野】
【０００１】
本発明は、空気調和機の室内ユニットに関するものである。
【背景技術】
【０００２】
従来、空気調和機の室内ユニットを天井に設けることが知られている。例えば、特許文献１には、下部が開口して送風機と熱交換器が内部に配置されるユニット筐体と、ユニット筐体の下部に設けられる化粧パネルとを備えた天井埋込型空気調和機（室内ユニット）が記載されている。この特許文献１の空気調和機では、吸込グリルが化粧パネルに対して着脱可能に構成されており、吸込グリルには、化粧パネルへの取り付けのために、化粧パネルに向けて突出して化粧パネルと係合するスライド部が設けられている。
【先行技術文献】
【特許文献】
【０００３】
【特許文献１】特開２００９−２９９９９９号公報
【発明の概要】
【発明が解決しようとする課題】
【０００４】
しかしながら、上記特許文献の例では、吸込グリルの４箇所にスライド部が設けられ、全てのスライド部に板バネが設けられているので、吸込グリルを取り外す際に、一人作業で全てのスライド部の係合を解除するのは難しい。そのため、吸込グリルを無理に取り外そうとすると、吸込グリルと化粧パネルとが互いに干渉して何れかが破損する可能性もある。
【０００５】
本発明は上記の問題に着目してなされたものであり、天井に設けられる室内ユニットにおいて、吸込グリルを容易に着脱できるようにすることを目的としている。
【課題を解決するための手段】
【０００６】
上記の課題を解決するため、第１の発明は、
天井（CE）に設けられ、下方から吸い込んだ空気を温度調節して噴き出す室内ユニット本体（20）と、
上記室内ユニット本体（20）の下部に設けられる化粧パネル（50）と、
空気導入口（33a）が形成され、上記化粧パネル（50）に着脱可能に取り付けられる吸込グリル（51）と、
を備え、
上記吸込グリル（51）は、下方から見た形状が４つの辺を有した方形状であり、
上記４つの辺の縁部（51c）のそれぞれには、上記化粧パネル（50）に対して進退可能に形成され、該化粧パネル（50）に向けてスライドした状態で上記化粧パネル（50）に引っ掛かるスライド部（120,130）が設けられ、
それらのスライド部（120,130）のうちの２つのみが、弾性部材（140）によって、上記化粧パネル（50）に引っ掛かる位置に位置決めされており、
上記弾性部材（140）によって位置決めされているスライド部（120）は、上記４つの辺において互いに対辺となる２辺の縁部（51c）にそれぞれ設けられていることを特徴とする。
【０００７】
この構成では、弾性部材が設けられていないスライド部は、スライドさせるとその位置にとどまる。一方、弾性部材が設けられたスライド部は、例えば、化粧パネルから離れる方向にスライドさせても手を離すと元の位置に戻る。
【０００８】
また、第２の発明は、第１の発明において、
それぞれのスライド部（120,130）は、上記縁部（51c）の中央部に設けられていることを特徴とする。
【０００９】
この構成では、吸込グリル（51）は、縁部（51c）の中央部で保持される。
【００１０】
また、第３の発明は、第１又は第２の発明において、
それぞれのスライド部（120,130）は、スライド操作を行うための操作部（126）が上記吸込グリル（51）の下方に向けて突出しており、
上記弾性部材（140）によって位置決めされていないスライド部（130）と、上記弾性部材（140）によって位置決めされているスライド部（120）とは、操作部（126）が突出する長さが互いに異なっていることを特徴とする。
【００１１】
この構成では、弾性部材（140）によって位置決めされていないスライド部（130）と、弾性部材（140）によって位置決めされているスライド部（120）とが、操作部（126）の大きさで識別される。
【００１２】
また、第４の発明は、第１から第３の発明の何れかにおいて、
上記化粧パネル（50）には、上記吸込グリル（51）の取付箇所に該吸込グリル（51）用の開口（40）が形成され、
上記縁部（51c）の外縁の大きさは、上記吸込グリル（51）用の開口（40）よりも大きいことを特徴とする。
【発明の効果】
【００１３】
第１の発明によれば、弾性部材が設けられていない方のスライド部は、スライドさせた位置にとどまるので、吸込グリルを取り外す際に、弾性部材が設けられていない方のスライド部を先にスライドさせ、その後、弾性部材が設けられている方のスライド部をスライドさせれば、一人でも吸込グリルを化粧パネルから取り外すことができる。すなわち、天井に設けられる室内ユニットにおいて、吸込グリルを容易に着脱できる。
【００１４】
また、第２の発明によれば、吸込グリルの着脱の際に、バランスよく吸込グリルを保持することができる。
【００１５】
また、第３の発明によれば、スライド部における弾性部材の有無を目視で容易に識別できる。
【００１６】
また、第４の発明によれば、吸込グリルの着脱時に吸込グリルと化粧パネルとが接触し易い形態において、両者の干渉を防止しつつ容易に吸込グリルの着脱ができる。すなわち、吸込グリルの着脱時に吸込グリルと化粧パネルとが接触し易い形態において、これらを破損させることなく、容易に吸込グリルを着脱できる。
【図面の簡単な説明】
【００１７】
【図１】図１は、実施形態に係る空気調和機の室内ユニットの構成例を示している。
【図２】図２は、室内ユニットの縦断面を示す。
【図３】図３は、下方から見た化粧パネルを示した下面図である。
【図４】図４は、吸込グリルの上方からの斜視図である。
【図５】図５は、第１スライド部の平面図である。
【図６】図６は、第１スライド部の断面図である。
【図７】図７は、第１スライド部を構成する稼働部の斜視図である。
【図８】図８は、稼働部の平面図である。
【図９】図９は、稼働部の断面図である。
【図１０】図１０は、第２スライド部の平面図である。
【図１１】図１１は、第２スライド部を構成する稼働部の斜視図である。
【図１２】図１２は、第２スライド部を構成する稼働部の平面図である。
【図１３】図１３は、第２スライド部における稼働部の断面図である。
【発明を実施するための形態】
【００１８】
以下、本発明の実施形態について図面を参照しながら説明する。なお、以下の実施形態は、本質的に好ましい例示であって、本発明、その適用物、あるいはその用途の範囲を制限することを意図するものではない。
【００１９】
《発明の実施形態》
図１は、本発明の実施形態に係る空気調和機の室内ユニット（10）の構成例を示している。室内ユニット（10）は、空気調和の対象となる室内の天井（CE）に設けられ、室外に設けられた室外ユニット（図示を省略）と配管接続されて空気調和機を構成している。この空気調和機では、冷房運転や暖房運転などの空気調和運転が行われる。
【００２０】
図１に示すように、室内ユニット（10）は、室内ユニット本体（20）と、化粧パネル（50）と、吸込グリル（51）とを備えている。この例では、室内ユニット（10）は、天井（CE）の上方空間（すなわち、天井裏）において吊下機構（図示を省略）によって吊り下げられている。なお、図１は、斜め下方から見た室内ユニット（10）を示した斜視図である。図２は、室内ユニット（10）の縦断面を示し、図３のII-II線における縦断面図に相当する。図３は、下方から見た化粧パネル（50）を示した下面図である。図４は、吸込グリル（51）の上方からの斜視図である。
【００２１】
〈室内ユニット本体〉
室内ユニット本体（20）は、室内ファン（31）と室内熱交換器（32）とを内部に有して天井（CE）に設けられ、下方から吸い込んだ空気を温度調節して吹き出すように構成されている。この例では、室内ユニット本体（20）は、室内ファン（31）および室内熱交換器（32）の他に、ケーシング（21）とドレンパン（33）とベルマウス（34）と有している。
【００２２】
−ケーシング−
ケーシング（21）は、下面が開口する直方体型の箱状に形成されている。ケーシング（21）の内面には、断熱材（図示を省略）が設けられている。また、ケーシング（21）は、室内ファン（31）と室内熱交換器（32）とドレンパン（33）とベルマウス（34）とを収容する。
【００２３】
−室内ファン−
室内ファン（31）は、ケーシング（21）の内部中央に配置される。この例では、室内ファン（31）は、下方から吸い込んだ空気を側方から径方向外方へ吹き出すように構成されている。具体的には、室内ファン（31）は、ファンモータ（31a）と羽根車（31b）とを有している。ファンモータ（31a）は、ケーシング（21）の天板に固定され、羽根車（31b）は、ファンモータ（31a）の回転軸に連結されている。
【００２４】
−室内熱交換器−
室内熱交換器（32）は、室内ファン（31）の周囲を囲うように配置され、冷媒と室内ファン（31）によって搬送された空気とを熱交換させるように構成されている。例えば、室内熱交換器（32）は、クロスフィン式のフィン・アンド・チューブ型熱交換器によって構成されている。また、室内ユニット（10）に設けられる室内熱交換器（32）と、室外ユニット（図示を省略）に設けられる圧縮機と室外熱交換器と膨張弁とが配管接続されて、冷媒回路が構成されている。この冷媒回路では、冷媒が可逆に循環して蒸気圧縮式冷凍サイクルが行われる。そして、室内熱交換器（32）は、冷房運転では蒸発器として機能して空気を冷却し、暖房運転では放熱器（凝縮器）として機能して空気を加熱する。
【００２５】
−ドレンパン−
ドレンパン（33）は、上下に扁平な立方体状に形成され、室内熱交換器（32）の下側に配置される。また、ドレンパン（33）には、１つの空気導入口（33a）と、複数（この例では、４つ）の空気導出口（33b）と、ドレン溝（33c）が形成されている。空気導入口（33a）は、ドレンパン（33）の中央部に形成され、ドレンパン（33）を上下に貫通している。４つの空気導出口（33b）は、空気導入口（33a）の周囲に形成され、ドレンパン（33）を上下に貫通している。ドレン溝（33c）は、室内熱交換器（32）の下端に沿うように環状に形成され、室内熱交換器（32）において発生した凝縮水を受ける。この例では、４つの空気導出口（33b）は、平面視においてドレンパン（33）の４つの辺部にそれぞれ沿うように形成されている。また、ドレン溝（33c）は、平面視において空気導入口（33a）と４つの空気導出口（33b）との間を環状に延びている。
【００２６】
−ベルマウス−
ベルマウス（34）は、上縁から下縁へ向かうに連れて開口面積が拡大する筒状に形成され、その上縁が室内ファン（31）の開口下端（吸込口）に挿入された状態で、ドレンパン（33）の空気導入口（33a）に収容される。
【００２７】
〈化粧パネル〉
化粧パネル（50）は、室内ユニット本体（20）の下部に設けられる。本実施形態の化粧パネル（50）は、複数（この例では、４つ）の風向調節羽根（56）とを有し、複数（この例では、４つ）の空気吹出口（51b）が形成されている。この化粧パネル（50）では、これら４つの空気吹出口（51b）よりも内側に位置する部に平坦面部（50a）が形成され、その下面の外周縁部分が外周へ向かうに連れて緩やかに上方に傾斜する傾斜面状に形成されている。そして、化粧パネル（50）には、吸込グリル（51）を取り付けのための吸込グリル（51）用の開口（40）が形成されており、平坦面部（50a）には、吸込グリル（51）の外縁（後述の縁部（51c））が接するようになっている。
【００２８】
また、この平坦面部（50a）の上側は、概ね鉛直な壁部(50b)となっており、この壁部（50b）には、後述のスライド部（120,130）を引っ掛ける穴（以下、係合穴（50c））が形成されている。
【００２９】
４つの空気吹出口（51b）は、吸込グリル（51）の周囲に形成されている。より詳しくは、４つの空気吹出口（51b）は、吸込グリル（51）の４つの辺部（後述の縁部（51c））に沿うように形成されている。これらの空気吹出口（51b）は、吸込グリル（51）を上下に貫通してドレンパン（33）の４つの空気導出口（33b）と連通している。
【００３０】
また、図１等に示すように、４つの風向調節羽根（56）は、４つの空気吹出口（51b）の下端部にそれぞれ設けられ、空気吹出口（51b）を流れる空気の流れの向きを調節するように構成されている。風向調節羽根（56）は、空気吹出口（51b）の長手方向に沿って延びる板状に形成され、その長手方向の両端部に揺動軸が設けられている。そして、風向調節羽根（56）は、揺動軸を軸心として揺動可能となるように、化粧パネル（50）に支持されている。
【００３１】
〈吸込グリル〉
吸込グリル（51）は、上下に扁平なパネル状に形成され、その平面視（下方から見た形状）において、４つの辺を有した方形状（より具体的には正方形状）である。この例では、吸込グリル（51）の下部には所定幅の板状の縁（以下、縁部（51c））が形成されている。この縁部（51c）の大きさ（縁部（51c）の最外周の大きさ）は、吸込グリル（51）用の開口（40）よりも大きく形成されている。それにより、本実施形態では、吸込グリル（51）を化粧パネル（50）に取り付けると、吸込グリル（51）の縁部（51c）が化粧パネル（50）の平坦面部（50a）に接することになる（図２参照）。
【００３２】
この例では、吸込グリル（51）は、第１板部材（52）と、第２板部材（53）と、複数（この例では、２つ）の連結部（54）と、フィルタ（55）と、２種類のスライド部(120,130)とを備え、１つの空気吸込口（51a）が形成されている。この例では、吸込グリル（51）は、縁部（51c）を除く部分が、開口（40）内に収まるようになっている。
【００３３】
また、図２に示すように、フィルタ（55）は、空気吸込口（51a）の上側に設けられ、空気吸込口（51a）を通過した空気の中の塵埃を補足するように構成されている。
【００３４】
−第１板部材（52）−
第１板部材（52）は、空気の流れを妨げる板状（具体的には、無孔の板状）に形成され、空気吸込口（51a）の下端部に設けられる。そして、第１板部材（52）は、平面視においてその外周縁と空気吸込口（51a）の開口縁との間に吸込開口（60）が形成されるように、空気吸込口（51a）の中央部を覆っている。
【００３５】
具体的に、この例では、第１板部材（52）は、平面視において正方形状に形成された空気吸込口（51a）よりも小さい正方形型の板状に形成され、その下面の高さが空気吸込口（51a）の下端の高さと同一となるように、空気吸込口（51a）の下端部に設けられている。また、第１板部材（52）は、その下面が平坦面状に形成され、その下面が吸込開口（60）を挟んで吸込グリル（51）の下面の中央部分と面一となっている。なお、この第１板部材（52）の下面高さは一例であり、例えば第１板部材（52）の下面を空気吸込口（51a）の下端よりも高い位置としてもよい。
【００３６】
−第２板部材（53）−
第２板部材（53）は、空気吸込口（51a）の内周に沿って延びる板状に形成され、その上縁が下縁よりも内周側に位置するように空気吸込口（51a）の内周に設けられる。そして、第２板部材（53）は、その上縁が空気吸込口（51a）の下端よりも上方に位置し、その下縁が平面視において第１板部材（52）の外周を囲っている。
【００３７】
より詳しくは、この例では、第２板部材（53）は、空気吸込口（51a）の内周の全周に亘って連続的に延びている。また、第２板部材（53）は、第１板部材（52）の外周縁に対して凹となるように曲がっている。具体的には、第２板部材（53）は、横断面が正方形である筒状（枠状）に形成され、その上縁が下縁よりも内周側に位置するように、第１板部材（52）の外周縁に対して凹となる円弧状に湾曲している。
【００３８】
また、この例では、第２板部材（53）の下縁は、平面視において吸込開口（60）の内周縁と外周縁との間に位置し、平面視において吸込開口（60）を、第２板部材（53）の下縁よりも内周側に位置する第１吸込開口（61）と、第２板部材（53）の下縁よりも外周側に位置する第２吸込開口（62）とに区画している。なお、吸込開口（60）の内周縁は、第１板部材（52）の外周縁に相当し、吸込開口（60）の外周縁は、空気吸込口（51a）の開口縁に相当する。
【００３９】
−空気吸込口（51a）−
そして、吸込グリル（51）の空気吸込口（51a）は、その開口面積が上端から下端へ向かうに連れて次第に広くなるように構成されている。また、空気吸込口（51a）は、その内周面が第１板部材（52）の外周縁に対して凹となるように曲がっている。
【００４０】
−連結部（54）−
連結部（54）は、紐やワイヤー等（以下、紐等と呼ぶ）によって、化粧パネル（50）等に連結される（図示を省略）。すなわち、吸込グリル（51）は、連結部（54）において化粧パネル（50）等に吊り下げられる。
【００４１】
〈スライド部〉
この吸込グリル（51）には、第１スライド部（120）と第２スライド部（130）の２種類のスライド部がある。第１スライド部（120）と第２スライド部（130）とは、何れも本発明のスライド部の一例である。
【００４２】
−第１スライド部（120）−
図５は、第１スライド部（120）の平面図であり、吸込グリル（51）に取り付けた状態を示す。また、図６は、第１スライド部（120）の断面図である。図６は、図５におけるVI-VI断面に相当する。また、図７は、第１スライド部（120）を構成する稼働部（122）の斜視図であり、図８は、稼働部（122）の平面図である。そして、図９は、稼働部（122）の断面図である。図９は、図８のIX-IX断面に相当する。
【００４３】
第１スライド部（120）は、化粧パネル（50）に対して進退可能に構成され、化粧パネル（50）に向けてスライドした状態で化粧パネル（50）に引っ掛かるようになっている。この例では、第１スライド部（120）は、具体的には基台部（121）、稼働部（122）、ガイドピン（123）、及び板バネ（140）を備え、基台部（121）に固定されたガイドピン（123）に沿って稼働部（122）が基台部（121）上においてスライドするようになっている。
【００４４】
この例では、基台部（121）は、角柱状の部材であり、吸込グリル（51）の縁部（51c）の上面に該縁部（51c）と一体的に形成されている。本実施形態の縁部（51c）は樹脂製であり、基台部（121）も樹脂製である。この基台部（121）の上端面は、稼働部（122）が摺動する平坦面になっており、その面には、ガイドピン（123）を固定するネジ用の穴が設けられている。
【００４５】
稼働部（122）は、案内部（124）、４つのリブ（125）、操作部（126）を有し、樹脂をモールド成形することによって形成されている。
【００４６】
図７等に示すように、案内部（124）は、板状部材であり、基台部（121）上に配置されて、化粧パネル（50）に対して進退し、化粧パネル（50）側に向って移動した際には、その先端（化粧パネル（50）側の端）が、化粧パネル（50）の係合穴（50c）に入り込んで化粧パネル（50）に引っ掛かるようになっている。
【００４７】
上記の進退動作を実現するため、案内部（124）には、ガイド穴（127）が形成されている。ガイド穴（127）は、ガイドピン（123）を通す長穴である。詳しくは、ガイド穴（127）は、長手方向が化粧パネル（50）の係合穴（50c）を向くように形成してあり、短手方向の幅は、ガイドピン（123）の幅よりもやや大きく、長手方向の幅は、案内部（124）に必要な移動量に応じて規定してある。なお、この例では、ガイドピン（123）には、雄ねじを用いており、その頭部が案内部（124）の上面に接触する少し手前まで基台部（121）にねじ込んである。これにより、案内部（124）は、ガイドピン（123）に沿って移動できることになる。
【００４８】
また、ガイド穴（127）の両側には、ガイド穴（127）の長手方向に沿ってリブ（125）が２つずつ設けられている。これらのリブ（125）は、化粧パネル（50）の係合穴（50c）側に切り欠き（125a）が形成されている。この切り欠き（125a）により、案内部（124）を係合穴（50c）に引っ掛かる方向（以下、説明の便宜のため係合方向と呼ぶ）にスライドさせる際に、案内部（124）を係合穴（50c）内に容易に案内することができる。
【００４９】
そして、案内部（124）には、作業者が指でスライド操作を行うための操作部（126）が一体的に設けられている。この例では、操作部（126）は、板状の部材であり、吸込グリル（51）の下方に向けて突出している。具体的な突出量は、吸込グリル（51）の下面よりも室内側に、先端がやや覗く程度である。
【００５０】
更に、案内部（124）には、板バネ（140）が設けられている。板バネ（140）は、案内部（124）（すなわちスライド部）が化粧パネル（50）に引っ掛かる位置（以下、説明の便宜のため係合位置と呼ぶ）に、案内部（124）を位置決めするものであり、本発明の弾性部材の一例である。
【００５１】
この例では、板バネ（140）は、図５等に示すように、案内部（124）の両側にそれぞれ設けられている。詳しくは、板バネ（140）は、案内部（124）と一体的に形成されており、板バネ（140）は、樹脂製のバネである。そして、図８に示すように、それぞれの板バネ（140）は、案内部（124）の進退方向とは概ね直交する方向に伸びている。そして、この例では、縁部（51c）には、１つの第１スライド部（120）に対して円柱状のボス（51d）が２つずつ形成されており、板バネ（140）の先端がボス（51d）に接している（図５参照）。板バネ（140）とボス（51d）の位置関係は、操作部（126）に力を加えていない状態（人が操作していない状態）において、案内部（124）が、上記係合位置に位置決めされるように定めてある。より具体的には、案内部（124）が最も係合穴（50c）寄りにスライドしてガイド穴（127）の端がガイドピン（123）に接する位置（或いは両者間に僅かな隙間がある位置）に位置決めされている。本実施形態では、この状態が板バネ（140）の自然状態（力が作用していない状態）である。
【００５２】
一方、人が操作部（126）を化粧パネル（50）から遠ざかる方向に動かすと、やがて案内部（124）が係合穴（50c）から外れる。このとき板バネ（140）は、ボス（51d）に接することによって湾曲しており、例えば人が操作部（126）から手を離すと、板バネ（140）の反発力によって案内部（124）は上記係合位置に戻ることになる。
【００５３】
−第２スライド部（130）−
第２スライド部（130）も、化粧パネル（50）に対して進退可能に構成され、化粧パネル（50）に向けてスライドした状態で化粧パネル（50）に引っ掛かるようになっている。図１０は、第２スライド部（130）の平面図であり、吸込グリル（51）に取り付けた状態を示す。また、図１１は、第２スライド部（130）を構成する稼働部（122）の斜視図であり、図１２は、第２スライド部（130）を構成する稼働部（122）の平面図である。そして、図１３は、第２スライド部（130）における稼働部（122）の断面図である。図１３は、図１２のXIII-XIII断面に相当する。
【００５４】
第２スライド部（130）も、基台部（121）、稼働部（122）、及びガイドピン（123）を備え、基台部（121）に固定されたガイドピン（123）に沿って稼働部（122）がスライドするようになっている（図１０〜図１３参照）。第２スライド部（130）における基台部（121）、稼働部（122）、ガイドピン（123）の構成は、第１スライド部（120）の構成（図６参照）と同様であるが、まず、第２スライド部（130）は、板バネ（140）を備えていない点が、第１スライド部（120）と異なっている。そのため、第２スライド部（130）では、スライドさせた位置に稼働部（122）が留まることになる。
【００５５】
また、第２スライド部（130）は、操作部（126）が吸込グリル（51）の下面から突出する長さ（以下、突出長）が第１スライド部（120）とは異なっている。この例では、第２スライド部（130）における操作部（126）の突出長（L2）の方を、第１スライド部（120）おける操作部（126）の突出長（L1）よりも長くしてある（すなわちL2>L1）。このように、操作部（126）の長さに差を設けることで、第１スライド部（120）と第２スライド部（130）とを目視で容易に識別、すなわち、板バネ（140）の有無を目視で容易に識別することができ、吸込グリル（51）の着脱作業における利便性が向上する。
【００５６】
〈スライド部の取付位置〉
本実施形態では、第１スライド部（120）及び第２スライド部（130）は、２つずつ設けられている。板バネ（140）によって位置決めされている第１スライド部（120）は、吸込グリル（51）の４つの辺において互いに対辺となる２辺の縁部（51c）にそれぞれ設けられている（図３，４参照）。すなわち、第２スライド部（130）は、残りの２辺の縁部（51c）に設けられることになる。そして、本実施形態では、第１スライド部（120）及び第２スライド部（130）の縁部（51c）における位置は、該縁部（51c）の中央部である（図３，４参照）。
【００５７】
〈吸込グリル（51）の着脱〉
−吸込グリル（51）の取り外し−
吸込グリル（51）を化粧パネル（50）から取り外す場合には、まず、上記係合位置にある２つの第２スライド部（130）をスライドさせて、その案内部（124）を係合穴（50c）から外す（以下、説明の便宜のため、このときの位置を係合解除位置と呼ぶ）。第２スライド部（130）には、板バネ（140）が設けられていないので、それらはスライドさせた位置（ここでは係合解除位置）にとどまることになる。この段階では、吸込グリル（51）は、２つの第１スライド部（120）によって、化粧パネル（50）に保持されているので、例えば作業者が吸込グリル（51）から手を離したとしても、吸込グリル（51）が落下することはない。
【００５８】
次に、作業者が吸込グリル（51）を手で支えながら、上記係合位置にある２つの第１スライド部（120）を指でスライドさせて、それらの案内部（124）を係合穴（50c）から外すと、吸込グリル（51）の全てのスライド部（120,130）が化粧パネル（50）から外れる。板バネ（140）を有した第１スライド部（120）は、上記対辺上の２箇所のみなので、この段階では、作業者は両手で吸込グリル（51）を支えることができ、作業者は真っ直ぐ下方に吸込グリル（51）を下げて、吸込グリル（51）を化粧パネル（50）から引き離すことができる。
【００５９】
本実施形態の吸込グリル（51）では、縁部（51c）の最外周の大きさが、吸込グリル（51）用の開口（40）よりも大きく形成されているので、吸込グリル（51）を不用意に傾斜させると、吸込グリル（51）の縁部（51c）と化粧パネル（50）とが干渉して着脱作業中に吸込グリル（51）を破損させる可能性がある。しかしながら、本実施形態では、このように、板バネ（140）を有した第１スライド部（120）と板バネを有していない第２スライド部（130）とを配置したことにより、一人作業でも吸込グリル（51）の縁部（51c）と化粧パネル（50）を干渉させずに、容易に取り外すことができる。すなわち、本実施形態のスライド部（120,130）は、吸込グリル（51）の縁部（51c）の最外周の大きさが、化粧パネル（50）に形成された吸込グリル（51）用の開口（40）よりも大きく形成されている形態において有用である。
【００６０】
なお、この例では、連結部（54）において、紐等によって吸込グリル（51）と化粧パネル（50）とが繋がれているので、この段階で、もし仮に作業者が吸込グリル（51）から手を離したとしても吸込グリル（51）が床面まで落下することはない。そして、作業者がその紐等を外せば、吸込グリル（51）を完全に化粧パネル（50）から取り外すことができる。このように、本実施形態では、一人作業で吸込グリル（51）を容易に取り外すことができる。
【００６１】
なお、操作部（126）の突出長に長短の差がある場合には、人は長い方を先に操作する傾向がある。そのため、本実施形態では、作業者は、極めて自然に板バネ（140）を備えていない第２スライド部（130）の方を先に操作すると考えられ、上記の取り外し手順が自然に行われると考えられる。
【００６２】
−吸込グリル（51）の取り付け−
吸込グリル（51）を化粧パネル（50）に取り付けるには、この例では、まず、吸込グリル（51）の連結部（54）と化粧パネル（50）とを紐等によって繋ぐ。次に、吸込グリル（51）の第２スライド部（130）の位置を上記係合解除位置にセットし、吸込グリル（51）を開口（40）に入れてゆく。吸込グリル（51）を開口（40）に入れてゆく過程で、第１スライド部（120）の稼働部（122）に設けられている切り欠き（125a）が化粧パネル（50）の壁部（50b）に接触し、それにより稼働部（122）は上記係合解除位置の方向に向って押し込まれて行く。そして、各第１スライド部（120）の稼働部（122）の先端部を壁部（50b）に摺動させながら、吸込グリル（51）を更に押し込むことによって、それらの稼働部（122）が係合穴（50c）の横に来ると、板バネ（140）の力によって、これらの稼働部（122）は上記係合位置にまでスライドし、係合穴（50c）に嵌まり込む。
【００６３】
この段階で、吸込グリル（51）は、第１スライド部（120）によって化粧パネル（50）に保持され、作業者が吸込グリル（51）から手を離しても、吸込グリル（51）が化粧パネル（50）から外れなくなっている。その後、作業者が上記係合解除位置にある２つの第２スライド部（130）を上記係合位置にまでスライドさせれば、吸込グリル（51）の取り付けは完了する。このように、本実施形態では、一人作業で吸込グリル（51）を容易に取り付けることができる。
【００６４】
〈本実施形態における効果〉
以上のように本実施形態によれば、天井に設けられる室内ユニットにおいて、吸込グリルを容易に着脱できる。
【００６５】
また、第１スライド部（120）及び第２スライド部（130）は、縁部（51c）の中央部に設けられているので、吸込グリル（51）の着脱作業の際に、バランスよく吸込グリル（51）を保持することができる。
【００６６】
また、第１スライド部（120）と第２スライド部（130）とで、操作部（126）の突出長に差を設けてあるので、スライド部（120,130）における板バネ（140）の有無を目視で容易に識別できる。すなわち、作業者が作業手順を容易に把握できる。
【００６７】
また、上記のように、着脱作業において吸込グリル（51）の縁部（51c）と化粧パネル（50）の不用意な干渉が防止できるので、着脱作業時の吸込グリル（51）の破損防止が可能である。
【００６８】
《その他の実施形態》
なお、各スライド部（120,130）の配置は、縁部（51c）の中央部には限定されない。
【００６９】
また、第２スライド部（130）における操作部（126）の突出長（L2）の方を、第１スライド部（120）おける操作部（126）の突出長（L1）よりも短くしてもよいし（すなわちL2<L1）、両者の突出長を同じにしてもよい（すなわちL1=L2）。
【００７０】
また、各スライド部（120,130）における稼働部（122）の形状は例示であり、吸込グリル（51）を化粧パネル（50）に引っ掛けることができる形状であればよい。
【００７１】
また、第１スライド部（120）に用いた板バネ（140）は例示であり、他の種類のバネを用いてもよいし、このバネは稼働部（122）と別体であってもよい。
【００７２】
また、吸込グリル（51）における空気吸込口（51a）の配置や形状、第１板部材（52）の配置や形状、更には第２板部材（53）の配置や形状も例示であり、上記実施形態には限定されない。
【００７３】
また、連結部（54）に設けた紐等は必須では無い。
【産業上の利用可能性】
【００７４】
本発明は、空気調和機の室内ユニットとして有用である。
【符号の説明】
【００７５】
１０      室内ユニット
２０      室内ユニット本体
３３ａ    空気導入口
４０      開口
５０      化粧パネル
５１      吸込グリル
５１ｃ    縁部
１２０    第１スライド部（スライド部）
１２６    操作部
１３０    第２スライド部（スライド部）
１４０    板バネ（弾性部材）
【図１】
2017083054.tif 000003
【図２】
2017083054.tif 000004
【図３】
2017083054.tif 000005
【図４】
2017083054.tif 000006
【図５】
2017083054.tif 000007
【図６】
2017083054.tif 000008
【図７】
2017083054.tif 000009
【図８】
2017083054.tif 000010
【図９】
2017083054.tif 000011
【図１０】
2017083054.tif 000012
【図１１】
2017083054.tif 000013
【図１２】
2017083054.tif 000014
【図１３】
2017083054.tif 000015